(57)【要約】      （修正有）【課題】チェーン等の紐状部材に宝飾品を装着した装身具において、簡単な操作で容易に、かつ確実に、宝飾品を紐状部材の任意の位置に移動及び定置させることができる装身具を提供する。【解決手段】宝飾品に貫通孔を穿孔し、紐状部材を挿通させて形成される装身具において、宝飾品１０の貫通孔１１内に、好適にはシリコンチューブとした筒状体１２を配設させるとともに、筒状体１２の両端部に係止部材１３を固着させた。【選択図】図２
0003158971.tif 000002
【実用新案登録請求の範囲】
【請求項１】
宝飾品に貫通孔を穿孔し、紐状部材を挿通させて形成される装身具において、前記宝飾品の貫通孔内に、筒状体を配設させるとともに、筒状体の両端部に係止部材を固着させたことを特徴とする装身具。
【請求項２】
前記筒状体をシリコンチューブとした請求項１記載の装身具。
【請求項３】
前記筒状体を、貫通孔内に固定した請求項１又は２記載の装身具。
【請求項４】
前記貫通孔の両端部に大径部を形成した請求項１ないし３のうちいずれか一項に記載の装身具。
【請求項５】
前記係止部材に、前記大径部に係合する係合部を形成した請求項４記載の装身具。
【考案の詳細な説明】
【技術分野】
【０００１】
本考案は、チェーン等の紐状部材を宝飾品に装着した装身具において、特に、宝飾品を紐状部材の任意の位置に移動及び定置させることができる装身具に関する。
【背景技術】
【０００２】
チェーン等の紐状部材を宝飾品に装着した装身具としては、ネックレスやブレスレット、またアンクレット等がある。これらの装身具は真珠や貴金属等の宝飾品を単一、又は複数で備え、宝飾品に取り付けた紐状部材を用いて使用者の首周りや手首、また足首等に装着することで、その首周りや手首、また足首等に装飾を施している。
【０００３】
ネックレスに関して、首に装着する際に使用者の好みや場所柄に応じて各チェーンの形を容易に変えられ、チェーンの長さを簡単に調節可能にし、かつチェーンを確実に固定するために、ネックレスが二本一対のチェーンを有し、各チェーンの一端が首の後側で連結金具にて係脱自在に連結され、各チェーンの他端側には、首の前側で各チェーンの長さを調節して固定するための固定金具を取付けたネックレスがある（特許文献１参照）。
【先行技術文献】
【特許文献】
【０００４】
【特許文献１】特開平１０−２９５４２０号公報（特許請求の範囲等）
【考案の概要】
【考案が解決しようとする課題】
【０００５】
しかしながら、上掲特許文献１のネックレスにおいて、チェーンを適宜長さに固定する固定金具は、適宜外形で空洞の固定金具本体の内部に、チェーンと交差する方向に軸線が向くように設けられた保持パイプと、この保持パイプ内の奥部に設けられた押圧コイルバネと、上記保持パイプ内に設けられて上記押圧コイルバネの弾撥力に抗して外側方から押圧自在な固定棒とを備え、かつ固定金具本体の上下部、固定棒、保持パイプの対応する位置に、チェーンを挿通する挿通孔が夫々設けられた構成になっている。そのことにより、構造が複雑でコスト高に繋がるとともに、チェーンの長さを調節する際には固定棒の操作が必要になるため、使用勝手も低下するという問題があった。
【０００６】
そこで本考案の目的は、上記問題点を解消し、チェーン等の紐状部材を宝飾品に装着した装身具において、簡単な操作で容易に、かつ確実に、宝飾品を紐状部材の任意の位置に移動及び定置させることができる装身具を提供することにある。
【課題を解決するための手段】
【０００７】
本考案は上記課題を解決するために、宝飾品に貫通孔を穿孔し、紐状部材を挿通させて形成される装身具において、前記宝飾品の貫通孔内に、筒状体を配設させるとともに、筒状体の両端部に係止部材を配設させたことを特徴とする。
【０００８】
また、筒状体はシリコンチューブとすることができ、また、筒状体は貫通孔内に固定することができる。さらに、貫通孔の両端部には大径部を形成することができ、またさらに、係止部材には、大径部に係合する係合部を形成することができる。
【考案の効果】
【０００９】
本考案によれば、宝飾品の貫通孔内に筒状体を配設させるとともに、筒状体の両端部に係止部材を配設させたことにより、宝飾品の貫通孔内に挿通された紐状部材は、筒状体の具備する弾性により内周に接触され押圧された状態となり、宝飾品に微妙な力を加えるだけで、宝飾品を紐状部材の任意の位置に移動及び定置させることができ、装飾品の長さ調節を容易に行うことができる。
【００１０】
また、筒状体をシリコンチューブとしたことにより、宝飾品の定置状態を向上させることができる。
【００１１】
さらに、貫通孔の両端部に大径部を形成し、さらに係止部材に、この大径部に係合する係合部を形成したことにより、係止部材の落脱が解消されるとともに、貫通孔内に筒状体や紐状体を挿入する際の作業性が向上する。
【図面の簡単な説明】
【００１２】
【図１】本考案の装身具の全体図である。
【図２】本考案の装身具の分解斜視図である。
【図３】宝飾品の断面図である。
【図４】装身具の使用状態の拡大断面図である。
【図５】他の実施例における形状を示す係止部材の拡大断面図である。
【図６】他の実施例におけるその他の形状を示す係止部材の拡大断面図である。
【考案を実施するための形態】
【００１３】
以下、本考案における装身具の実施の形態を図１ないし図６に基づいて説明する。本考案の装身具は、チェーン等の紐状部材を宝飾品に装着した装身具において、特に、簡単な操作で容易に、かつ確実に、宝飾品を紐状部材の任意の位置に移動及び定置させることのできる装身具である。なお、本考案の装身具として、図中においては一例としてネックレスの例が記載されているが、本考案の装身具は、ネックレスに限られず、ブレスレットやアンクレット等にも同様に適用することができる。
【００１４】
図１に示す本考案の装身具１は、ネックレスの一例を示すもので、チェーン等で構成されている二本一対の紐状部材２と、各紐状部材２の一端部を連結する連結具３と、紐状部材２に移動自在に装着される宝飾品１０とで構成されている。また、この宝飾品１０の位置を移動させることで、輪状の紐状部材２の径を任意に調節することができる。その仕組みについては後述する。
【００１５】
宝飾品１０は、高い気品を与えることができるとともに、宝飾加工の観点を考慮して、一例として真珠を用いることができる。かかる真珠は、天然真珠、養殖真珠どちらでも構わず、さらにイエロー系、グレー系、ブラック系、レッド系等、さまざまな色や大きさのものを使用することができる。なお、宝飾品１０は、真珠に限定されるものではなく、貴石、貴金属等、宝飾品として用いられているものを幅広く適用することができる。
【００１６】
宝飾品１０には、図２及び図３に示すように貫通孔１１が穿孔されている。貫通孔１１は、約２ｍｍ程度の径を有しており、図示したように宝飾品１０が球形の場合にはその直径方向に形成されている。この貫通孔１１内には、ある程度の長さで筒状体１２が挿入された状態で配設され、貫通孔の両端部にそれぞれ係止部材１３が固着されている。
【００１７】
筒状体１２は、貫通孔１１の内径より僅かに小径に形成されている。また、この筒状体１２は、図３に示すように、係止部材１３との間に隙間ｓが形成されるような長さを有していて、この隙間の長さを移動可能に配設されている。このように筒状体１２が貫通孔１１内でその長さ方向に移動可能であることにより、筒状体１２内に紐状部材２を挿入した状態で宝飾品１０を紐状部材２に対して相対移動させた際、筒状体１２自体も僅かに移動して紐状部材２への負担を軽減させることができる。
【００１８】
もっとも、この筒状体１２を、貫通孔１１内に固定してもよい。筒状体１２の固定には、汎用の接着剤を使用することができる。この筒状体１２を貫通孔１１内に固定することで、筒状体１２の歪みや変形の発生を軽減できる。
【００１９】
また筒状体１２は、弾力性を有する材料からなることが好ましい。これにより、図４に示すように貫通孔１１内においてこの筒状体１２に紐状部材２を挿入させた状態で、筒状体１２は、その弾力により紐状部材２を中心方向に押圧する。この押圧力及び／又は筒状体１２内周面の表面性状による滑り止め効果により宝飾品１０を紐状部材２に保持することができる。この筒状体１２には、弾性、柔軟性と滑り止め効果、及び紐状部材２への定置性を向上させるため、シリコンチューブを使用することが好ましい。シリコンチューブを使用することにより、紐状部材２の表面を傷付けることなく、さらには、宝飾品１０を任意の箇所に容易に定置させることができる。
【００２０】
係止部材１３は、貫通孔１１の両端部に設けられて、紐状部材２を貫通孔１１に案内する役割を果たすとともに、貫通孔１１内に設けられた筒状体１２が貫通孔１１から落脱するのを防止する役割を果たすことができる。また、シリコンチューブの他、ウレタンチューブ等を用いてもよい。
【００２１】
図５及び図６に、他の好適例を示す。図５及び図６に示す各例では、それぞれ貫通孔１１の両端部１４に大径部１５ａ、１５ｂを形成してある。大径部１５ａ、１５ｂは、図５に示した例では湾曲したテーパ状の大径部１５ａであり、図６に示した例では段状に形成された大径部１５ｂである。
【００２２】
貫通孔１１の両端部が、図５及び図６に示したように大径部１５ａ、１５ｂを有する場合には、この両端部に設けられる係止部材１３についても、この大径部１５に係合するような形状を有する係合部１６ａ、１６ｂが形成されていることが好ましい。この係合部１６の形状としては、図５に示すテーパ状の係合部１６ａや、図６に示す段状の大径部１６ｂが挙げられる。
【００２３】
貫通孔１１の両端部１４に大径部１５ａ、１５ｂを形成し、さらに係止部材１３が、当該貫通孔１１の大径部１５に係合する係合部１６を有するものとすることにより、貫通孔１１の両端部１４が幅広の状態となり、紐状部材２を貫通孔１１に案内して挿入することが容易になる。また、両端部１４に係止部材１３を装着固定する際、接着面が広くなるから、接着剤による接合強度が向上する。
【００２４】
本考案の装身具１は、上述の構造により、宝飾品１０の貫通孔１１内に挿通された紐状部材２は、筒状体１２の内周に接触され押圧された状態となるから、宝飾品１０に微妙な力を加えるだけで、宝飾品１０を紐状部材２の任意の位置に移動することができる。また、移動させる行為を止めると、宝飾品１０を所望箇所に定置させることができる。そのことにより、装身具１の長さを容易に調節することができる。
【符号の説明】
【００２５】
１    装身具
２    紐状部材
３    連結具
１０  宝飾品
１１  貫通孔
１２  筒状体
１３  係止部材
１４  両端部
１５  大径部
１６  係合部
【図１】
0003158971.tif 000003
【図２】
0003158971.tif 000004
【図３】
0003158971.tif 000005
【図４】
0003158971.tif 000006
【図５】
0003158971.tif 000007
【図６】
0003158971.tif 000008